(57)【要約】【課題】シンプルな構造で簡単に組み立てることができるとともに、作業員の安全を確保するため、伐採位置から離れた安全な場所で遠隔作業ができる立木の伐採装置を提供【解決手段】チェーンソーを固定するチェーンソー固定板を水平方向に回転自在に支持するとともに、立木に固定するチェーンソー固定板支持体とからなり、チェーンソー固定板２は、チェーンソー固定板２をチェーンソー固定板支持体３に回動自在に垂直に挿入する横断面円形の挿入部材８と、チェーンソー固定板を回動させるためのロープを係止するロープ係止部材１０を備え、チェーンソー固定板支持体３は、挿入部材８を回動自在支持する円筒１１と、チェーンソー固定板支持体３を立木に固定する立木固定部材１２を備え、ロープを引いて待機位置から回動したチェーンソー固定板２を、ロープを緩めて待機位置に戻す方向に付勢するコイルばね１５を備えている伐採装置。【選択図】図１
2019187371.tif 000002
【特許請求の範囲】
【請求項１】
チェーンソーと、このチェーンソーを固定するチェーンソー固定板と、前記チェーンソー固定板を水平方向に回転自在に支持するとともに、立木に固定するチェーンソー固定板支持体とからなる伐採装置において、
前記チェーンソー固定板は、前記チェーンソーを固定するチェーンソー固定部材と、前記チェーンソー固定板を前記チェーンソー固定板支持体に回動自在に垂直に挿入する横断面円形の挿入部材と、前記チェーンソー固定板を回動させるためのロープを係止するロープ係止部材を備え、
前記チェーンソー固定板支持体は、挿入した前記横断面円形の挿入部材を回動自在支持する円筒と、前記立木に巻き付けて前記チェーンソー固定板支持体を前記立木に固定する立木固定部材を備え、
前記チェーンソー固定板と前記チェーンソー固定板支持体の間に、ロープを引いて待機位置から回動した前記チェーンソー固定板を、ロープを緩めて前記待機位置に戻す方向に付勢するコイルばねを備えていることを特徴とする伐採装置。
【請求項２】
前記チェーンソー固定板の前記横断面円形の挿入部材と前記チェーンソー固定板支持体の前記円筒との間に、ロープを引いて待機位置から回動した前記チェーンソー固定板を、ロープを緩めて前記待機位置に戻す方向に付勢するコイルばねを備えていることを特徴とする請求項１に記載の伐採装置。
【請求項３】
前記チェーンソー固定板支持体固定部材の立木側には、前記チェーンソー固定板支持体固定部材が立木に対して移動するのを防止する凹凸を有する円筒移動防止部材を備えていることを特徴とする請求項１または２に記載の伐採装置。
【発明の詳細な説明】
【技術分野】
【０００１】
本発明は、立木をチェーンソーで伐採する伐採装置に関し、特に簡単な構造で、伐採現場での組み立て、立木への固定に手間がかからず、作業者が伐採位置から離れた位置で安全に伐採作業をすることができる伐採装置に関する。
【背景技術】
【０００２】
作業者が立木を直接伐採作業する場合、切り口が裂けて跳ね上がって当たったり、傾斜地の伐採作業では作業者が転倒したりなどして危険なため、作業者の安全を確保するために各種の伐採装置が提案されている（特許文献１〜３参照）。
【０００３】
前記特許文献１には、遠隔操作で立木を伐採する人肩運搬型の遠隔操作伐採装置として、樹木に取付架台を取り付け、この取付架台にスライドテーブルを装着し、スライドテーブルのチェーンソー移動台にチェーンソーを搭載して組み立て、送受信機を備えた制御手段により遠隔操作できる伐採装置が記載されている。
【０００４】
また、前記特許文献２には、チェーンソー支持架台の支持ケースにチェーンソーが支持され、チェーンソーハンドルを操作するワイヤーからなる操作杆とチェーンソー支持架台の支持ケースを回動させてチェーンソーを動かすワイヤーからなる操作ハンドルを備えた遠隔操作できる伐採装置が記載されている。
【０００５】
前記特許文献３には、旋回台にチェーンソーが支持され、操作部の操作によりチェーンソーを駆動するとともに、操作ワイヤーの操作により旋回台を旋回させて立木を切る遠隔操作できる伐採装置が記載されている。
【先行技術文献】
【特許文献】
【０００６】
【特許文献１】特開２０１３−２４０９５９号公報
【特許文献２】実開昭５７-１３６７０１号公報
【特許文献３】実開昭５５−１１８７０２号公報
【発明の概要】
【発明が解決しようとする課題】
【０００７】
前記特許文献１に記載の伐採装置においては、制御手段により遠隔操作するため、伐採装置の構造が複雑となり、また、現場でチェーンソー、スライドテーブル、取り付け架台の組立が簡単でないだけでなく、手間がかかるという問題がある。
【０００８】
また、特許文献２，３に記載の伐採装置では、ワイヤーをチェーンソーに接続して遠隔操作するために接続構造が複雑となり、その組立にも手間がかかるという欠点がある。
【０００９】
そこで、本発明は、伐採装置の構造が簡単なので伐採現場において簡単に組み立て、立木に固定できるとともに、作業員の安全を確保するために伐採位置から離れた安全な場所で遠隔作業ができる立木の伐採装置を提供するものである。
【課題を解決するための手段】
【００１０】
本願請求項１に記載の発明は、チェーンソーと、このチェーンソーを固定するチェーンソー固定板と、前記チェーンソー固定板を水平方向に回転自在に支持するとともに、立木に固定するチェーンソー固定板支持体とからなる伐採装置において、前記チェーンソー固定板は、前記チェーンソーを固定するチェーンソー固定部材と、前記チェーンソー固定板を前記チェーンソー固定板支持体に回動自在に垂直に挿入する横断面円形の挿入部材と、前記チェーンソー固定板を回動させるためのロープを係止するロープ係止部材を備え、前記チェーンソー固定板支持体は、挿入した前記横断面円形の挿入部材を回動自在支持する円筒と、前記立木に巻き付けて前記チェーンソー固定板支持体を前記立木に固定する立木固定部材を備え、前記チェーンソー固定板と前記チェーンソー固定板支持体の間に、ロープを引いて待機位置から回動した前記チェーンソー固定板を、ロープを緩めて前記待機位置に戻す方向に付勢するコイルばねを備えていることを特徴とする伐採装置である。
【００１１】
本願請求項２に記載の発明は、前記チェーンソー固定板の前記横断面円形の挿入部材と前記チェーンソー固定板支持体の前記円筒との間に、ロープを引いて待機位置から回動した前記チェーンソー固定板を、ロープを緩めて前記待機位置に戻す方向に付勢するコイルばねを備えていることを特徴とする請求項１に記載の伐採装置である。
【００１２】
本願請求項３に記載の発明は、前記チェーンソー固定板支持体固定部材の立木側には、前記チェーンソー固定板支持体固定部材が立木に対して移動するのを防止する凹凸を有する円筒移動防止部材を備えていることを特徴とする請求項１または２に記載の伐採装置。
【発明の効果】
【００１３】
本発明の伐採装置は、チェーンソーとワイヤーや制御手段と接続したりする必要がないので、チェーンソーをそのまま使用でき、チェーンソー固定板とチェーンソー固定板支持体だけなので、構造がシンプルで持ち運びやすく、また、現場でチェーンソーをチェーンソー固定板に固定してチェーンソー固定板の挿入部材をチェーンソー固定板支持体の円筒に挿入して回動自在に支持するだけなので、伐採装置を現場で手間を掛けることなく簡単に組み立てることができる。
【００１４】
また、本発明の伐採装置は、伐採装置から離れた場所でロープを引いてチェーンソーを操作できるので、作業員の安全を確保することができる。
【図面の簡単な説明】
【００１５】
【図１】本発明の栽培装置を構成するチェーンソー固定板とチェーンソー固定板支持体の斜視図である。
【図２】本発明の栽培装置を立木に固定した状態を示す斜視図である。
【発明を実施するための形態】
【００１６】
図１、図２において、本発明の立木を伐採するための伐採装置は、チェーンソー１と、チェーンソー１を固定するチェーンソー固定板２と、チェーンソー固定板２を回転自在に支持して、立木に固定するチェーンソー固定板支持体３により構成される。
【００１７】
チェーンソー固定板２は金属板４からなり、金属板表面には固定するチェーンソーの位置決めをする位置決め部材５が設けられている。チェーンソーはアーチ形あるいは門形の固定金具６で押さえて固定される。裏面には、必要に応じて、強度を上げるために金属板４を補強する補強リブ７を設けてもよい。
【００１８】
チェーンソー固定板２の一端の隅部には、チェーンソー固定板２の表面と同一平面方向且つチェーンソー固定板２の長手方向に直角に横断面円形の棒あるいは管からなる挿入部材８が接続されている。挿入部材８はチェーンソー固定板支持体３の円筒１１に挿入されてチェーンソー固定板２が回動自在に支持される。
【００１９】
チェーンソー固定板２の他端には、ロープ９（図１）を係止するため、ロープ係止部材１０となるロープ９を通す孔１０が形成されている。孔１０にロープ９を掛けて引くことにより、チェーンソー固定板２をチェーンソー固定板支持体３の円筒１１に挿入した挿入部材８を中心に回動させる。ロープ係止部材１０は孔だけでなくロープを巻いて係止する突起など、チェーンソー固定板に係止できる係止部材であればよい。
【００２０】
チェーンソー固定板支持体３は円筒１１を備えており、円筒１１にはチェーンソー固定板２の挿入部材８が挿入されてチェーンソー固定板２が回動自在に支持される。
【００２１】
チェーンソー固定板支持体３は、チェーンソー固定板支持体３を立木に固定する立木固定部材１２を備えている。立木固定部材１２は、チェーンソー固定板支持体３をベルト１３、ワイヤー、ロープあるいはチェーンを巻き付け、締め付けていき立木へ固定するものである。本実施例では、公知のラッチェト式ベルトの例で、ハンドルを往復動作させてベルト１３を立木に巻き閉めていく。
【００２２】
チェーンソー固定板支持体３には、チェーンソー固定板支持体３が移動するのを防止する移動防止部材１４を備えている。移動防止部材１４として、本実施例では、固定したチェーンソー固定板支持体３が作業中に上下動あるいは回動して移動しないように立木に食い込む凹凸板１４が上下に配置されている。
【００２３】
チェーンソー固定板２の挿入部材８とチェーンソー固定板支持体３の円筒１１との間には、コイルばね１５が配置され、コイルばね１５の一端と他端がチェーンソー固定板２とチェーンソー固定板支持体３に固定されている。コイルばね１５は回動したチェーンソー固定板２がコイルばね１５の復元力により待機位置に戻る方向に付勢されている。ロープ９を引いてチェーンソー固定板２を待機位置からコイルばね１５に抗して回動させ、ロープ９を緩めるとチェーンソー固定板２がコイルばね１５の復元力により逆方向に回動して待機位置に戻る。
【００２４】
前記構成の伐採装置の使用方法の一例について説明する。  
【００２５】
チェーンソー固定板支持体３の立木固定部材１２であるラッチェト式ベルト１３を立木１６に巻き付けてハンドルを往復動作させて締め付け、移動防止部材１４の上下の凹凸板を立木１６に食い込ませチェーンソー固定板支持体３を移動しないように立木１６へ強固に固定する。
【００２６】
チェーンソー固定板支持体３の立木１６への固定が終了すると、チェーンソー１を固定金具６で強固に固定したチェーンソー固定板２の挿入部材８を、立木に固定されているチェーンソー固定板支持体３の円筒１１にコイルばね１５を介して挿入して支持する。コイルばね１５を回してコイルばね１５の一端と他端をチェーンソー固定板２とチェーンソー固定板支持体３に固定する。
【００２７】
チェーンソー固定板２とチェーンソー固定板支持体３の組立が終わると、チェーンソー固定板２の他端のロープ係止部材の孔１０に、安全な作業位置までの長さのロープ９を通し、ロープ９を引いてチェーンソー固定板２を回動可能にする。
【００２８】
こうして伐採装置の立木へのセットが完了すると、チェーンソー１を起動させて回転させた後、作業者は安全な位置に移動した後、ロープ９を引いてチェーンソー１を立木方向に移動させて伐採を開始する。
【００２９】
伐採により立木が倒れると、ロープ９を緩めてチェーンソー固定板２をコイルばね１５の作用によりに逆方向に回動させて待機位置に戻す。伐採作業終了後は、チェーンソー１を停止させ、逆の手順でチェーンソー固定板２をチェーンソー固定板支持体３から取り外し、チェーンソー固定板支持体３を立木１６から取り外す。
【符号の説明】
【００３０】
１：チェーンソー
２：チェーンソー固定板
３：チェーンソー固定板支持体
４：金属板
５：位置決め部材
６：固定金具
７：補強リブ
８：挿入部材
９：ロープ
１０：ロープ係止部材（孔）
１１：円筒
１２：立木固定部材
１３：ベルト
１４：移動防止部材
１５：コイルばね
１６：立木
【図１】
2019187371.tif 000003
【図２】
2019187371.tif 000004
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
チェーンソーと、このチェーンソーを固定するチェーンソー固定板と、前記チェーンソー固定板を水平方向に回転自在に支持するとともに、立木に固定するチェーンソー固定板支持体とからなる伐採装置において、
前記チェーンソー固定板は、前記チェーンソーの位置決めをする位置決め部材が設けられるとともに、前記チェーンソーが固定金具で押さえられて固定される金属板からなり、前記チェーンソー固定板の一端の隅部には前記チェーンソー固定板を前記チェーンソー固定板支持体に回動自在に垂直に挿入する横断面円形の挿入部材と、チェーンソー固定板の他端には前記チェーンソー固定板を回動させるためのロープを係止するロープ係止部材を備え、
前記チェーンソー固定板支持体は、前記チェーンソー固定板支持体を前記立木に固定する立木固定部材を備え、前記立木固定部材は、ベルトを立木に巻き閉めていくラッチェト式ベルトを備えるとともに、立木側には前記チェーンソー固定板支持体が立木に対して移動するのを防止する立木に食い込む凹凸板が上下に配置され、前記立木側と反対の側には前記横断面円形の挿入部材がコイルばねを介して挿入されてチェーンソー固定板を回動自在に支持する円筒が固定され、
前記コイルばねは、前記チェーンソー固定板の前記横断面円形の挿入部材と前記チェーンソー固定板支持体の前記円筒の間に配置され、一端がチェーンソー固定板に固定され、他端がチェーンソー固定板支持体に固定されてロープを引いて待機位置から回動した前記チェーンソー固定板を、ロープを緩めて前記待機位置に戻す方向に付勢するコイルばねであることを特徴とする伐採装置。
【手続補正２】
【補正対象書類名】明細書
【補正対象項目名】００１０
【補正方法】変更
【補正の内容】
【００１０】
本願請求項１に記載の発明は、チェーンソーと、このチェーンソーを固定するチェーンソー固定板と、前記チェーンソー固定板を水平方向に回転自在に支持するとともに、立木に固定するチェーンソー固定板支持体とからなる伐採装置において、前記チェーンソー固定板は、前記チェーンソーの位置決めをする位置決め部材が設けられるとともに、前記チェーンソーが固定金具で押さえられて固定される金属板からなり、前記チェーンソー固定板の一端の隅部には前記チェーンソー固定板を前記チェーンソー固定板支持体に回動自在に垂直に挿入する横断面円形の挿入部材と、チェーンソー固定板の他端には前記チェーンソー固定板を回動させるためのロープを係止するロープ係止部材を備え、前記チェーンソー固定板支持体は、前記チェーンソー固定板支持体を前記立木に固定する立木固定部材を備え、前記立木固定部材は、ベルトを立木に巻き閉めていくラッチェト式ベルトを備えるとともに、立木側の面には前記チェーンソー固定板支持体が立木に対して移動するのを防止する立木に食い込む凹凸板が上下に配置され、前記立木側の面と反対の側の面には前記横断面円形の挿入部材がコイルばねを介して挿入されてチェーンソー固定板を回動自在に支持する円筒が固定され、前記コイルばねは、前記チェーンソー固定板の前記横断面円形の挿入部材と前記チェーンソー固定板支持体の前記円筒の間に配置され、一端がチェーンソー固定板に固定され、他端がチェーンソー固定板支持体に固定されてロープを引いて待機位置から回動した前記チェーンソー固定板を、ロープを緩めて前記待機位置に戻す方向に付勢するコイルばねであることを特徴とする伐採装置である。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００２１
【補正方法】変更
【補正の内容】
【００２１】
チェーンソー固定板支持体３は、チェーンソー固定板支持体３を立木に固定する立木固定部材１２を備えている。立木固定部材１２は、チェーンソー固定板支持体３を、ベルト１３を巻き付け、締め付けていき立木へ固定するものである。本実施例では、公知のラッチェト式ベルトの例で、ハンドルを往復動作させてベルト１３を立木に巻き閉めていく。